(57)【要約】【課題】従来の口鼻マウスやマウスピースなどと異なり、直接口あるいは鼻に取り付けることがなく、リラックス状態で酸素を吸入するに相応しい酸素供給器用酸素吸入器を提供する。【解決手段】酸素吸入者の頭部に装着させるための装着部１と、前記装着部１より前記吸入者の前方に伸長する鍔部２と、前記鍔部の下面に設けられ、前記吸入者の鼻方向に酸素を吹き付けるための酸素吹出ノズル３と、前記酸素吹出ノズルに酸素を供給するチューブ５とを備えたことを特徴とする。【選択図】図１
0003123544.tif 000002
【実用新案登録請求の範囲】
【請求項１】
酸素吸入者の頭部に装着させるための装着部と、前記装着部より前記吸入者の前方に伸長する鍔部と、前記鍔部の下面に設けられ、前記吸入者の鼻方向に酸素を吹き付けるための酸素吹出ノズルと、前記酸素吹出ノズルに酸素を供給するチューブとを備えたことを特徴とする酸素供給器用酸素吸入器。
【請求項２】
前記酸素吹出ノズルは鍔部の中央先端区域に左右に並列して設けられており、酸素吸入者の鼻Ｎ方向に酸素吹出ノズルの開口端が向くように、固定片によって設けれられていることを特徴とする請求項１記載の酸素供給器用酸素吸入器。
【請求項３】
前記チューブは鍔部の左右の両側部分に固定片によって固定されており、酸素吸入者の顔に当たらないようになっていることを特徴とする請求項１または２記載の酸素供給器用酸素吸入器。
【考案の詳細な説明】
【技術分野】
【０００１】
本考案は酸素供給器用酸素吸入器、さらに詳細には酸素供給器で発生させた酸素を吸入者に供給するための酸素供給器用酸素吸入器に関する。
【背景技術】
【０００２】
病気、激しいスポーツなどで酸素欠乏、エアロビクスの有酸素運動、高山病、眠気防止、疲労回復、二日酔いの改善などに酸素がスの有効性が実証されており、広く使用されている。酸素を供給するための酸素供給器としては激しい有酸素運動を行ったときの疲労回復、脂肪の燃焼、二日酔いの回復など病気以外に気軽に酸素を供給するような小型の酸素吸入器も知られている（たとえば特開２０００−６０９８１号公報参照）。
【０００３】
上述のような酸素吸入器より酸素がスを吸入するには口鼻マスク、マウスピース、カニューラ等が使用されている。
【特許文献１】特開２０００−６０９８１号公報
【考案の開示】
【考案が解決しようとする課題】
【０００４】
しかしながら、上述のような吸入法においては、口あるいは鼻に直接マスク、マウスピースなどを取り付けるため、たとえば激しい運動した後など多量の酸素を吸入したいとき等には便利ではあるが、リラックス状態で酸素を吸入したいときなどには煩わしいという欠点があり、リラックスできないという短所があった。
【課題を解決するための手段】
【０００５】
上記課題を解決するため、本考案による酸素供給器用酸素吸入器は、酸素吸入者の頭部に装着させるための装着部と、前記装着部より前記吸入者の前方に伸長する鍔部と、前記鍔部の下面に設けられ、前記吸入者の鼻方向に酸素を吹き付けるための酸素吹出ノズルと、前記酸素吹出ノズルに酸素を供給するチューブとを備えたことを特徴とする。
【考案の効果】
【０００６】
本考案によれば、酸素吹出ノズルが設けられた装着部及び鍔部よりなる吸入器本体は、いわゆるサンバイザー状であるため、抵抗なく装着可能であり、酸素吸入者などが手で支持することなく酸素を吸入可能である。このため、たとえばイスに掛けてリラックスしながら酸素を吸入することができるという利点を生じる。
【考案を実施するための最良の形態】
【０００７】
本考案による酸素供給器用酸素吸入器は、酸素吸入者の頭部に装着させるための装着部と、前記装着部より前記吸入者の前方に伸長する鍔部と、前記鍔部の下面に設けられ、前記吸入者の鼻方向に酸素を吹き付けるための酸素吹出ノズルと、前記酸素吹出ノズルに酸素を供給するチューブとを備えたことを特徴とする。
【０００８】
本考案による一実施形態においては、前記酸素吹出ノズルは鍔部の中央先端区域に左右に並列して設けられており、酸素吸入者の鼻Ｎ方向に酸素吹出ノズルの開口端が向くように、固定片によって設けれられていることを特徴とする。
【０００９】
また他の実施形態においては、前記チューブは鍔部の左右の両側部分に固定片によって固定されており、酸素吸入者の顔に当たらないようになっていることを特徴とする。
【実施例】
【００１０】
本考案による酸素供給器用酸素吸入器は、図１及び図２に示すように、酸素吸入者の頭部Ｈに装着するための装着部１と前記装着部１より前方に伸長する鍔部２とを有する吸入器本体Ｓを備えている。この実施例においては、前記装着部１と鍔部２とでサンバイザー形状の吸入器本体Ｓとなっている。すなわち、前記装着部１は図２の裏面図より明らかなように後部に切欠き部１１を備えた円形状のバンド状になっている。そして前記バンド状装着部１内部には弾性体が内蔵されており、前記バンド状装着部１で酸素吸入者Ｂの頭部Ｈにフィットし、落下しないようになっている。
【００１１】
前記装着部１の切欠き部１１と対向する側に前方に伸長する鍔部２が設けられている。そして、この鍔部２の裏面（吸入者の鼻側）には、下方に開口端３１を有する酸素吹出ノズル３が備えられている。この酸素吹出ノズル３は、この実施例においては、図２に示すように鍔部２の中央先端区域に左右に並列して設けられており、酸素吸入者Ｂの鼻Ｎ方向に酸素吹出ノズルの開口端３１が向くように、固定片４によって設けれられている。
【００１２】
前記酸素吹出ノズル３は、酸素供給器Ｃによって発生する酸素を案内し、供給するチューブ５が備えられている。この実施例においては、左右の酸素吹出ノズル３にそれぞれチューブ５が連結されており、酸素が両方の鼻孔に均一に供給されるようになっている。前記チューブ５は鍔部２の左右の両側部分に固定片６及び７によって固定されており、下方に垂れ下がって、酸素吸入者Ｂの顔に邪魔にならないようにしてある。
【００１３】
本考案による酸素供給器用酸素吸入器を使用するに当たっては、前記装着部１で酸素吸入者Ｂの頭部Ｈに装着し、酸素供給器Ｃを作動させて、チューブ５に酸素を供給する。チューブ５に供給された酸素は、これらのチューブ５に案内されて、酸素吹出ノズル３に達し、その開口端３１より吹き出ることになる。このとき、前述の吹出ノズル３は前記装着部１より前方に伸長した鍔部２の先端中央部に設けられており、かつ酸素吹出ノズル３の開口端３１は下方を向いているため、噴出した酸素は酸素吸入者Ｂの両方の鼻孔付近に吹き出すことになり、酸素吸入者は酸素リッチな空気を呼吸することになる。
【００１４】
上記実施例においては、サンバイザー状の装着部及び鍔部を記載したが、野球などのキャップ状でもよいのは明らかである。
【産業上の利用可能性】
【００１５】
本考案によれば、酸素吹出ノズルが設けられた装着部及び鍔部よりなる吸入器本体は、いわゆるサンバイザー状であるため、抵抗なく装着可能であり、酸素吸入者などが手で支持することなく酸素を吸入可能である。このため、たとえばイスに掛けてリラックスしながら酸素を吸入することができるという利点を生じる。
【図面の簡単な説明】
【００１６】
【図１】本考案の酸素供給器用酸素吸入器の一実施例の説明図。
【図２】本考案の酸素供給器用酸素吸入器の一実施例の平面図。
【符号の説明】
【００１７】
１      装着部
２      鍔部
３      酸素吹出ノズル
４      固定片
５      チューブ
６      固定片
７      固定片
Ｂ      酸素吸入者
Ｃ      酸素供給器
Ｈ      頭部
Ｎ      鼻
Ｓ      吸入器本体
【図１】
0003123544.tif 000003
【図２】
0003123544.tif 000004